(57)【要約】【課題】  プルプリントにおいて画像形成装置によって印刷ジョブが印刷されないことを防止することができる印刷システムを提供する。【解決手段】  印刷システムの管理サーバー２０は、ＭＦＰ３０の印刷能力を取得し（Ｓ１２４〜Ｓ１２６）、記憶部に記憶されている印刷ジョブに含まれる印刷属性と、取得したＭＦＰ３０の印刷能力とを比較して、ＭＦＰ３０によるこの印刷ジョブの印刷が可能であるか否かを判断し（Ｓ１２８）、記憶部に記憶されている印刷ジョブのうちＭＦＰ３０による印刷が可能である印刷ジョブのジョブリストを、ＭＦＰ３０からの要求に応じてＭＦＰ３０に送信し（Ｓ１２９）、ＭＦＰ３０は、管理サーバー２０から取得したジョブリストを表示し（Ｓ１３０）、表示したジョブリストに基づいて管理サーバー２０から印刷ジョブを取得し（Ｓ１３１、Ｓ１３２）、取得した印刷ジョブを印刷する（Ｓ１３３）ことを特徴とする。【選択図】  図９
2014026559.tif 000002
【特許請求の範囲】
【請求項１】
印刷ジョブを記憶するジョブ記憶サーバーと、前記印刷ジョブを印刷する画像形成装置とを備えており、
前記印刷ジョブは、印刷属性を含んでおり、
前記ジョブ記憶サーバーは、前記印刷ジョブを記憶するジョブ記憶部と、前記印刷ジョブのリストを前記画像形成装置からの要求に応じて前記画像形成装置に送信するリスト送信手段と、前記画像形成装置からの要求に応じて前記画像形成装置に前記印刷ジョブを送信するジョブ送信手段と、前記画像形成装置の印刷能力を取得する装置能力取得手段と、前記画像形成装置による印刷が可能である前記印刷ジョブである印刷可能ジョブであるか否かを判断する印刷可否判断手段とを備えており、
前記画像形成装置は、前記ジョブ記憶サーバーから前記リストを取得するリスト取得手段と、前記リスト取得手段によって取得された前記リストを表示するリスト表示手段と、前記リスト表示手段によって表示された前記リストに基づいて前記ジョブ記憶サーバーから前記印刷ジョブを取得するジョブ取得手段と、前記ジョブ取得手段によって取得された前記印刷ジョブを印刷するジョブ印刷手段とを備えており、
前記印刷可否判断手段は、前記ジョブ記憶部に記憶されている前記印刷ジョブに含まれる前記印刷属性と、前記装置能力取得手段によって取得された前記画像形成装置の前記印刷能力とを比較して、この印刷ジョブがこの画像形成装置の前記印刷可能ジョブであるか否かを判断し、
前記リスト送信手段は、前記ジョブ記憶部に記憶されている前記印刷ジョブのうち前記印刷可否判断手段によって判断された前記印刷可能ジョブの前記リストを送信することを特徴とする印刷システム。
【請求項２】
前記印刷可能ジョブには、前記画像形成装置の前記印刷能力によって実行されることができる前記印刷属性のみを含んでいる完全印刷可能ジョブと、前記画像形成装置の前記印刷能力によって実行されることができない前記印刷属性を含んでいる制限付印刷可能ジョブとが含まれており、
前記ジョブ記憶サーバーは、前記印刷属性の代替の印刷属性である代替属性を記憶する代替属性記憶部を備えており、
前記印刷可否判断手段は、前記装置能力取得手段によって取得された前記画像形成装置の前記印刷能力によって実行されることができない前記印刷属性が、前記ジョブ記憶部に記憶されている前記印刷ジョブに含まれている場合、この印刷属性に対して前記代替属性記憶部に記憶されている前記代替属性がこの画像形成装置の前記印刷能力によって実行されることができるとき、この印刷ジョブをこの画像形成装置の前記制限付印刷可能ジョブとして判断し、
前記リスト表示手段は、前記リストを表示する場合、前記完全印刷可能ジョブと、前記制限付印刷可能ジョブとを区別して表示することを特徴とする請求項１に記載の印刷システム。
【請求項３】
前記リスト表示手段は、前記制限付印刷可能ジョブを表示する場合、この制限付印刷可能ジョブに含まれている前記印刷属性のうち前記画像形成装置の前記印刷能力によって実行されることができない印刷属性と、この印刷属性に対して前記代替属性記憶部に記憶されている前記代替属性とを表示することを特徴とする請求項２に記載の印刷システム。
【請求項４】
前記画像形成装置は、前記代替属性の変更を受け付ける代替属性変更受付手段を備えており、
前記ジョブ印刷手段は、前記制限付印刷可能ジョブを印刷する場合、前記代替属性変更受付手段によって前記代替属性の変更が受け付けられたとき、前記代替属性変更受付手段によって受け付けられた変更後の前記代替属性で、この制限付印刷可能ジョブを印刷することを特徴とする請求項３に記載の印刷システム。
【請求項５】
前記代替属性記憶部は、前記画像形成装置の種類に応じて前記代替属性を記憶していることを特徴とする請求項２から請求項４までの何れかに記載の印刷システム。
【請求項６】
前記ジョブ記憶サーバーは、前記画像形成装置の利用者の認証を実行する認証実行手段を備えており、
前記ジョブ記憶部は、前記利用者毎に前記印刷ジョブを記憶し、
前記リスト送信手段は、前記認証実行手段による認証が成功した前記利用者に対して前記ジョブ記憶部に記憶されている前記印刷可能ジョブの前記リストを送信することを特徴とする請求項１から請求項５までの何れかに記載の印刷システム。
【発明の詳細な説明】
【技術分野】
【０００１】
本発明は、印刷ジョブを記憶するジョブ記憶サーバーと、この印刷ジョブを印刷する画像形成装置とを備えている印刷システムに関する。
【背景技術】
【０００２】
従来の印刷システムとして、画像形成装置がホスト装置を介さずにジョブ記憶サーバーから直接取得した印刷ジョブを印刷する、所謂プルプリントを実行するものが知られている（特許文献１参照。）。
【先行技術文献】
【特許文献】
【０００３】
【特許文献１】特開２０００−１１２６８７号公報
【発明の概要】
【発明が解決しようとする課題】
【０００４】
しかしながら、従来の印刷システムにおいては、画像形成装置の印刷能力によって実行されることができる印刷属性のみを含んでいる印刷ジョブであるか否かに関わらず、ジョブ記憶サーバーから画像形成装置に印刷ジョブが送信されるので、ジョブ記憶サーバーから画像形成装置に送信された印刷ジョブに含まれている印刷属性が画像形成装置の印刷能力によって実行されることができない場合に、画像形成装置によって印刷ジョブが印刷されないことがあるという問題がある。
【０００５】
そこで、本発明は、プルプリントにおいて画像形成装置によって印刷ジョブが印刷されないことを防止することができる印刷システムを提供することを目的とする。
【課題を解決するための手段】
【０００６】
本発明の印刷システムは、印刷ジョブを記憶するジョブ記憶サーバーと、前記印刷ジョブを印刷する画像形成装置とを備えており、前記印刷ジョブは、印刷属性を含んでおり、前記ジョブ記憶サーバーは、前記印刷ジョブを記憶するジョブ記憶部と、前記印刷ジョブのリストを前記画像形成装置からの要求に応じて前記画像形成装置に送信するリスト送信手段と、前記画像形成装置からの要求に応じて前記画像形成装置に前記印刷ジョブを送信するジョブ送信手段と、前記画像形成装置の印刷能力を取得する装置能力取得手段と、前記画像形成装置による印刷が可能である前記印刷ジョブである印刷可能ジョブであるか否かを判断する印刷可否判断手段とを備えており、前記画像形成装置は、前記ジョブ記憶サーバーから前記リストを取得するリスト取得手段と、前記リスト取得手段によって取得された前記リストを表示するリスト表示手段と、前記リスト表示手段によって表示された前記リストに基づいて前記ジョブ記憶サーバーから前記印刷ジョブを取得するジョブ取得手段と、前記ジョブ取得手段によって取得された前記印刷ジョブを印刷するジョブ印刷手段とを備えており、前記印刷可否判断手段は、前記ジョブ記憶部に記憶されている前記印刷ジョブに含まれる前記印刷属性と、前記装置能力取得手段によって取得された前記画像形成装置の前記印刷能力とを比較して、この印刷ジョブがこの画像形成装置の前記印刷可能ジョブであるか否かを判断し、前記リスト送信手段は、前記ジョブ記憶部に記憶されている前記印刷ジョブのうち前記印刷可否判断手段によって判断された前記印刷可能ジョブの前記リストを送信することを特徴とする。
【０００７】
この構成により、本発明の印刷システムは、画像形成装置に表示された印刷可能ジョブのリストに基づいて画像形成装置がジョブ記憶サーバーから印刷可能ジョブを取得するので、プルプリントにおいて画像形成装置によって印刷ジョブが印刷されないことを防止することができる。
【０００８】
また、本発明の印刷システムにおいて、前記印刷可能ジョブには、前記画像形成装置の前記印刷能力によって実行されることができる前記印刷属性のみを含んでいる完全印刷可能ジョブと、前記画像形成装置の前記印刷能力によって実行されることができない前記印刷属性を含んでいる制限付印刷可能ジョブとが含まれており、前記ジョブ記憶サーバーは、前記印刷属性の代替の印刷属性である代替属性を記憶する代替属性記憶部を備えており、前記印刷可否判断手段は、前記装置能力取得手段によって取得された前記画像形成装置の前記印刷能力によって実行されることができない前記印刷属性が、前記ジョブ記憶部に記憶されている前記印刷ジョブに含まれている場合、この印刷属性に対して前記代替属性記憶部に記憶されている前記代替属性がこの画像形成装置の前記印刷能力によって実行されることができるとき、この印刷ジョブをこの画像形成装置の前記制限付印刷可能ジョブとして判断し、前記リスト表示手段は、前記リストを表示する場合、前記完全印刷可能ジョブと、前記制限付印刷可能ジョブとを区別して表示しても良い。
【０００９】
この構成により、本発明の印刷システムは、画像形成装置に表示されたリストに基づいて画像形成装置がジョブ記憶サーバーから完全印刷可能ジョブを取得することによって、利用者が意図した印刷結果と同一の印刷結果をプルプリントにおいて生じることができ、画像形成装置に表示されたリストに基づいて画像形成装置がジョブ記憶サーバーから制限付印刷可能ジョブを取得することによって、利用者が意図した印刷結果の代替の印刷結果をプルプリントにおいて生じることができる。
【００１０】
また、本発明の印刷システムにおいて、前記リスト表示手段は、前記制限付印刷可能ジョブを表示する場合、この制限付印刷可能ジョブに含まれている前記印刷属性のうち前記画像形成装置の前記印刷能力によって実行されることができない印刷属性と、この印刷属性に対して前記代替属性記憶部に記憶されている前記代替属性とを表示しても良い。
【００１１】
この構成により、本発明の印刷システムは、制限付印刷可能ジョブに含まれている印刷属性のうち画像形成装置の印刷能力によって実行されることができない印刷属性と、この印刷属性に対する代替属性とを画像形成装置に表示するので、プルプリントにおいて制限付印刷可能ジョブが印刷される場合に、制限付印刷可能ジョブのうち何れの印刷属性が何れの代替属性に変更されるかを利用者に認識させることができる。
【００１２】
また、本発明の印刷システムにおいて、前記画像形成装置は、前記代替属性の変更を受け付ける代替属性変更受付手段を備えており、前記ジョブ印刷手段は、前記制限付印刷可能ジョブを印刷する場合、前記代替属性変更受付手段によって前記代替属性の変更が受け付けられたとき、前記代替属性変更受付手段によって受け付けられた変更後の前記代替属性で、この制限付印刷可能ジョブを印刷しても良い。
【００１３】
この構成により、本発明の印刷システムは、制限付印刷可能ジョブが印刷される場合の代替属性の変更を受け付け、受け付けた変更後の代替属性で制限付印刷可能ジョブを印刷するので、利用者が意図した代替の印刷結果をプルプリントにおいて生じることができる。
【００１４】
また、本発明の印刷システムにおいて、前記代替属性記憶部は、前記画像形成装置の種類に応じて前記代替属性を記憶していても良い。
【００１５】
この構成により、本発明の印刷システムは、プルプリントにおいて画像形成装置が制限付印刷可能ジョブを印刷する場合、画像形成装置の種類に応じた代替属性で制限付印刷可能ジョブを印刷するので、画像形成装置に応じた更に適切なプルプリントを実行することができる。
【００１６】
また、本発明の印刷システムにおいて、前記ジョブ記憶サーバーは、前記画像形成装置の利用者の認証を実行する認証実行手段を備えており、前記ジョブ記憶部は、前記利用者毎に前記印刷ジョブを記憶し、前記リスト送信手段は、前記認証実行手段による認証が成功した前記利用者に対して前記ジョブ記憶部に記憶されている前記印刷可能ジョブの前記リストを送信しても良い。
【００１７】
この構成により、本発明の印刷システムは、利用者に応じた印刷可能ジョブのリストを画像形成装置に表示させるので、画像形成装置だけでなく、利用者にも応じたプルプリントを実行することができる。
【発明の効果】
【００１８】
本発明の印刷システムは、プルプリントにおいて画像形成装置によって印刷ジョブが印刷されないことを防止することができる。
【図面の簡単な説明】
【００１９】
【図１】本発明の一実施の形態に係る印刷システムのブロック図である。
【図２】図１に示す管理サーバーのブロック図である。
【図３】図２に示す代替属性テーブルの一例を示す図である。
【図４】図２に示す印刷能力情報の一例を示す図である。
【図５】図１に示すＭＦＰのブロック図である。
【図６】図１に示すホスト装置のブロック図である。
【図７】プリンタードライバーを実行している時の図６に示すホスト装置の動作のフローチャートである。
【図８】図６に示すホスト装置の表示部に表示される印刷指示画面の一例を示す図である。
【図９】プルプリントが実行される場合の図１に示す印刷システムの動作のシーケンス図である。
【図１０】図５に示すＭＦＰにログイン中の利用者に対して管理サーバーの記憶部に記憶されている印刷ジョブの一例を示す図である。
【図１１】図２に示す管理サーバーによって作成されるジョブリストの一例を示す図である。
【図１２】図２に示す印刷能力情報を示す図であって、図４に示す例とは異なる例を示す図である。
【図１３】図２に示す管理サーバーによって作成されるジョブリストを示す図であって、図１１に示す例とは異なる例を示す図である。
【図１４】管理サーバーから取得した印刷ジョブを印刷する場合の図５に示すＭＦＰの動作のフローチャートである。
【図１５】図５に示すＭＦＰの表示部に表示される代替属性変更受付画面の一例を示す図である。
【発明を実施するための形態】
【００２０】
以下、本発明の一実施の形態について、図面を用いて説明する。
【００２１】
まず、本実施の形態に係る印刷システム１０の構成について説明する。
【００２２】
図１は、本実施の形態に係る印刷システム１０のブロック図である。
【００２３】
図１に示すように、印刷システム１０は、利用者を管理する管理サーバー２０と、ＭＦＰ（Ｍｕｌｔｉｆｕｎｃｔｉｏｎ  Ｐｅｒｉｐｈｅｒａｌ）３０を含む多数のＭＦＰと、ＭＦＰによって印刷が実行されるための印刷ジョブを所定の利用者に対応付けて管理サーバー２０に送信するホスト装置４０を含む多数のホスト装置とを備えている。管理サーバー２０と、多数のＭＦＰと、多数のホスト装置とは、ＬＡＮ（Ｌｏｃａｌ  Ａｒｅａ  Ｎｅｔｗｏｒｋ）、インターネットなどのネットワーク１１を介して互いに通信可能に接続されている。ここで、多数のＭＦＰは、それぞれ本発明の画像形成装置を構成している。
【００２４】
なお、印刷システム１０に含まれている多数のＭＦＰのそれぞれの構成は、ＭＦＰ３０の構成と同様である。したがって、以下においては、印刷システム１０に含まれる多数のＭＦＰを代表してＭＦＰ３０について説明する。
【００２５】
同様に、印刷システム１０に含まれている多数のホスト装置のそれぞれの構成は、ホスト装置４０の構成と同様である。したがって、以下においては、印刷システム１０に含まれる多数のホスト装置を代表してホスト装置４０について説明する。
【００２６】
図２は、管理サーバー２０のブロック図である。
【００２７】
図２に示すように、管理サーバー２０は、種々の操作が入力されるマウスやキーボードなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、ネットワーク１１（図１参照。）経由で外部の装置と通信を行うネットワーク通信デバイスであるネットワーク通信部２３と、プログラムおよび各種のデータを記憶しているＨＤＤ（Ｈａｒｄ  Ｄｉｓｋ  Ｄｒｉｖｅ）などの記憶デバイスである記憶部２４と、管理サーバー２０全体を制御する制御部２５とを備えている。管理サーバー２０は、例えばＰＣ（Ｐｅｒｓｏｎａｌ  Ｃｏｍｐｕｔｅｒ）などのコンピューターによって構成されている。
【００２８】
記憶部２４は、管理サーバー２０用のプログラムであるサーバー用プログラム２４ａと、利用者を認証するための認証用情報２４ｂとを記憶している。認証用情報２４ｂは、利用者の識別情報である利用者ＩＤと、パスワードとの組み合わせを記憶している情報である。
【００２９】
サーバー用プログラム２４ａは、管理サーバー２０の製造段階で管理サーバー２０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの記憶媒体から管理サーバー２０に追加でインストールされても良いし、ネットワーク１１上から管理サーバー２０に追加でインストールされても良い。
【００３０】
また、記憶部２４は、ホスト装置４０から送信されてきた複数の印刷ジョブ２４ｃを記憶することができるようになっている。すなわち、記憶部２４、管理サーバー２０は、それぞれ本発明のジョブ記憶部、ジョブ記憶サーバーを構成している。
【００３１】
印刷ジョブ２４ｃは、画像データと、印刷属性とを含んでいる。印刷属性には、モノクロおよびカラーのうちカラーで画像を印刷することを意味する「カラー」、通常の印刷よりトナーの消費量を抑えて画像を印刷することを意味する「エコプリント」など、画像に対する属性と、複数枚の印刷物を綴じることを意味する「ステープル」、印刷物に穴を開けることを意味する「パンチ」など、記録媒体に対する属性とが存在する。
【００３２】
なお、「エコプリント」には、例えばレベル１からレベル５までの５段階のレベルが存在し、レベルの数値が大きいほどトナーの消費量が少ない。
【００３３】
記憶部２４は、印刷ジョブ２４ｃに含まれる印刷属性の代替の印刷属性である代替属性を示す代替属性テーブル２４ｄを記憶している。すなわち、記憶部２４は、代替属性を記憶しており、本発明の代替属性記憶部を構成している。
【００３４】
図３は、代替属性テーブル２４ｄの一例を示す図である。
【００３５】
図３に示すように、代替属性テーブル２４ｄは、印刷属性と、この印刷属性に対する代替属性とを記憶している情報である。
【００３６】
図３に示す代替属性テーブル２４ｄによれば、「カラー」の印刷属性に対する代替属性は、モノクロおよびカラーのうちモノクロで画像を印刷することを意味する「モノクロ」である。Ａ３サイズで画像を印刷することを意味する「Ａ３サイズ」の印刷属性に対する代替属性は、Ａ４サイズで画像を印刷することを意味する「Ａ４サイズ」である。レベル５のエコプリントを意味する「レベル５エコプリント」の印刷属性に対する代替属性は、レベル３のエコプリントを意味する「レベル３エコプリント」である。レベル４のエコプリントを意味する「レベル４エコプリント」の印刷属性に対する代替属性も、「レベル３エコプリント」である。「ステープル」の印刷属性に対する代替属性は、複数枚の印刷物を綴じないことを意味する「ステープル無し」である。「パンチ」の印刷属性に対する代替属性は、印刷物に穴を開けないことを意味する「パンチ無し」である。
【００３７】
図２に示す記憶部２４は、ＭＦＰから送信されてきた印刷能力の情報である印刷能力情報２４ｅを記憶することができるようになっている。
【００３８】
図４は、印刷能力情報２４ｅの一例を示す図である。
【００３９】
図４に示すように、印刷能力情報２４ｅには、印刷能力情報２４ｅを送信してきたＭＦＰが有している全ての印刷能力が含まれている。
【００４０】
図４に示す印刷能力情報２４ｅによれば、この印刷能力情報２４ｅを送信してきたＭＦＰは、モノクロおよびカラーのうちモノクロで画像を印刷することができることを意味する「モノクロ印刷機能」と、モノクロおよびカラーのうちカラーで画像を印刷することができることを意味する「カラー印刷機能」と、Ａ４サイズで画像を印刷することができることを意味する「Ａ４サイズ印刷機能」と、Ａ３サイズで画像を印刷することができることを意味する「Ａ３サイズ印刷機能」とを含んでいる。
【００４１】
印刷能力情報２４ｅには、「モノクロ印刷機能」、「カラー印刷機能」、「Ａ４サイズ印刷機能」、「Ａ３サイズ印刷機能」などのように印刷ジョブ２４ｃの再現に関する印刷能力以外にも、印刷ジョブ２４ｃへの加工に関する印刷能力、給紙機能に関する印刷能力、排紙機能に関する印刷能力、後処理機能に関する印刷能力などの印刷能力が含まれることができる。
【００４２】
印刷ジョブ２４ｃへの加工に関する印刷能力としては、例えば、それぞれレベル１〜レベル５のエコプリントを実行することができることを意味する「レベル１エコプリント機能」、「レベル２エコプリント機能」、「レベル３エコプリント機能」、「レベル４エコプリント機能」、「レベル５エコプリント機能」などの印刷能力がある。
【００４３】
給紙機能に関する印刷能力としては、例えば、記録媒体の種類が指定されることによって記録媒体の種類に予め対応付けられた図示していない給紙トレイが間接的に指定された印刷を実行することができることを意味する「媒体種類指定機能」、ＭＦＰの図示していない給紙トレイが直接指定された印刷を実行することができることを意味する「給紙トレイ指定機能」などの印刷能力がある。「媒体種類指定機能」には、例えば、記録媒体の種類として普通紙が指定された印刷を実行することができることを意味する「普通紙指定機能」、記録媒体の種類としてＯＨＰ（Ｏｖｅｒｈｅａｄ  Ｐｒｏｊｅｃｔｏｒ）フィルムが指定された印刷を実行することができることを意味する「ＯＨＰフィルム指定機能」などの印刷能力が含まれている。「給紙トレイ指定機能」には、例えば、図示していない手差トレイが指定された印刷を実行することができることを意味する「手差トレイ指定機能」などの印刷能力がある。
【００４４】
排紙機能に関する印刷能力としては、例えば、ＭＦＰの図示していない排紙トレイが指定された印刷を実行することができることを意味する「排紙トレイ指定機能」などの印刷能力がある。
【００４５】
後処理機能に関する印刷能力としては、例えば、複数枚の印刷物を綴じる印刷を実行することができることを意味する「ステープル機能」、印刷物に穴を開ける印刷を実行することができることを意味する「パンチ機能」などの印刷能力がある。
【００４６】
図２に示す制御部２５は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２４に記憶されているプログラムを実行するようになっている。
【００４７】
制御部２５は、記憶部２４に記憶されているサーバー用プログラム２４ａを実行することによって、ホスト装置４０から送信されてきた印刷ジョブ２４ｃを記憶部２４において管理するジョブ管理手段２５ａ、ＭＦＰまたはホスト装置からのログインの依頼に基づいて利用者の認証を実行する認証実行手段２５ｂ、印刷ジョブ２４ｃのリスト（以下「ジョブリスト」と言う。）をＭＦＰからの要求に応じてＭＦＰに送信するリスト送信手段２５ｃ、ＭＦＰからの要求に応じてＭＦＰに印刷ジョブ２４ｃを送信するジョブ送信手段２５ｄ、ＭＦＰの印刷能力を取得する装置能力取得手段２５ｅ、および、ＭＦＰによる印刷が可能である印刷ジョブ２４ｃである印刷可能ジョブであるか否かを判断する印刷可否判断手段２５ｆとして機能する。
【００４８】
図５は、ＭＦＰ３０のブロック図である。
【００４９】
図５に示すように、ＭＦＰ３０は、利用者による種々の操作が入力されるボタンなどの入力デバイスである操作部３１と、種々の情報を表示するＬＣＤなどの表示デバイスである表示部３２と、用紙に印刷を実行する印刷デバイスであるプリンター３３と、原稿から画像を読み取る読取デバイスであるスキャナー３４と、図示していない外部のファクシミリ装置と公衆電話回線などの通信回線経由でファックス通信を行うファックスデバイスであるファックス通信部３５と、ネットワーク１１（図１参照。）経由で外部の装置と通信を行うネットワーク通信デバイスであるネットワーク通信部３６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの記憶デバイスである記憶部３７と、ＭＦＰ３０全体を制御する制御部３８とを備えている。
【００５０】
記憶部３７は、ＭＦＰ３０用のプログラムである画像形成装置用プログラム３７ａを記憶している。
【００５１】
画像形成装置用プログラム３７ａは、ＭＦＰ３０の製造段階でＭＦＰ３０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ３０に追加でインストールされても良いし、ネットワーク１１上からＭＦＰ３０に追加でインストールされても良い。
【００５２】
制御部３８は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部３７に記憶されているプログラムを実行するようになっている。
【００５３】
制御部３８は、記憶部３７に記憶されている画像形成装置用プログラム３７ａを実行することによって、管理サーバー２０に利用者のログインの依頼をするログイン依頼手段３８ａ、管理サーバー２０からジョブリストを取得するリスト取得手段３８ｂ、リスト取得手段３８ｂによって取得されたジョブリストを表示するリスト表示手段３８ｃ、リスト表示手段３８ｃによって表示されたジョブリストに基づいて管理サーバー２０から印刷ジョブを取得するジョブ取得手段３８ｄ、ジョブ取得手段３８ｄによって取得された印刷ジョブを印刷するジョブ印刷手段３８ｅ、および、代替属性の変更を受け付ける代替属性変更受付手段３８ｆとして機能する。
【００５４】
図６は、ホスト装置４０のブロック図である。
【００５５】
図６に示すように、ホスト装置４０は、利用者による種々の操作が入力されるマウスやキーボードなどの入力デバイスである操作部４１と、種々の情報を表示するＬＣＤなどの表示デバイスである表示部４２と、ネットワーク１１（図１参照。）経由で外部の装置と通信を行うネットワーク通信デバイスであるネットワーク通信部４３と、プログラムおよび各種のデータを記憶しているＨＤＤなどの記憶デバイスである記憶部４４と、ホスト装置４０全体を制御する制御部４５とを備えている。ホスト装置４０は、例えばＰＣなどのコンピューターによって構成されている。
【００５６】
記憶部４４は、ＭＦＰによって印刷が実行されるための印刷ジョブを生成するためのプリンタードライバー４４ａを記憶している。
【００５７】
プリンタードライバー４４ａは、ホスト装置４０の製造段階でホスト装置４０にインストールされていても良いし、ＣＤ、ＤＶＤなどの記憶媒体からホスト装置４０に追加でインストールされても良いし、ネットワーク１１上からホスト装置４０に追加でインストールされても良い。
【００５８】
制御部４５は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部４４に記憶されているプログラムを実行するようになっている。
【００５９】
制御部４５は、記憶部４４に記憶されているプリンタードライバー４４ａを実行することによって、管理サーバー２０に利用者のログインの依頼をするログイン依頼手段４５ａ、および、印刷ジョブを送信するジョブ送信手段４５ｂとして機能する。
【００６０】
次に、印刷システム１０の動作について説明する。
【００６１】
まず、ホスト装置４０から印刷ジョブが送信される場合の印刷システム１０の動作について説明する。
【００６２】
ホスト装置４０の利用者は、文書作成ソフトウェアなどのアプリケーションにおいて操作部４１を介してホスト装置４０に印刷を指示することができる。
【００６３】
ホスト装置４０の制御部４５は、印刷が指示されると、プリンタードライバー４４ａを起動することによって、図７に示す動作を実行する。
【００６４】
図７は、プリンタードライバー４４ａを実行している時のホスト装置４０の動作のフローチャートである。
【００６５】
図７に示すように、ホスト装置４０の制御部４５のログイン依頼手段４５ａは、現在の利用者の利用者ＩＤおよびパスワードをネットワーク通信部４３を介して管理サーバー２０に送信することによって、現在の利用者のログインを依頼する（Ｓ１０１）。
【００６６】
管理サーバー２０の制御部２５の認証実行手段２５ｂは、ホスト装置４０からの利用者のログインの依頼をネットワーク通信部２３を介して受信すると、この利用者の認証を実行する。ここで、認証実行手段２５ｂは、ホスト装置４０から受信した利用者ＩＤおよびパスワードの組み合わせが認証用情報２４ｂに記憶されている場合、認証が成功したと判断する。一方、認証実行手段２５ｂは、ホスト装置４０から受信した利用者ＩＤおよびパスワードの組み合わせが認証用情報２４ｂに記憶されていない場合、認証が失敗したと判断する。認証実行手段２５ｂは、認証が成功したと判断すると、ログインが成功したと判断する。一方、認証実行手段２５ｂは、認証が失敗したと判断すると、ログインが失敗したと判断する。
【００６７】
そして、認証実行手段２５ｂは、ログインの結果をネットワーク通信部２３を介してホスト装置４０に送信する。
【００６８】
ホスト装置４０の制御部４５のログイン依頼手段４５ａは、Ｓ１０１の処理が終了すると、管理サーバー２０からネットワーク通信部４３を介してログインの結果を受信したと判断するまで、管理サーバー２０からログインの結果を受信したか否かを判断する（Ｓ１０２）。
【００６９】
ログイン依頼手段４５ａは、管理サーバー２０からログインの結果を受信したとＳ１０２において判断すると、利用者のログインが成功したか否かを、Ｓ１０２において管理サーバー２０から受信したログインの結果に基づいて判断する（Ｓ１０３）。
【００７０】
ログイン依頼手段４５ａは、利用者のログインが失敗したとＳ１０３において判断されると、図７に示す処理を終了する。
【００７１】
ホスト装置４０の制御部４５のジョブ送信手段４５ｂは、利用者のログインが成功したとＳ１０３において判断されると、図８に示す印刷指示画面５０を表示部４２に表示する（Ｓ１０４）。
【００７２】
図８は、ホスト装置４０の表示部４２に表示される印刷指示画面５０の一例を示す図である。
【００７３】
図８に示すように、印刷指示画面５０には、印刷ジョブの送信先を利用者に選択させるためのドロップダウンリスト５１と、印刷が実行される記録媒体のサイズ、すなわち、用紙サイズを利用者に選択させるためのドロップダウンリスト５２と、印刷の色のうち「カラー」を利用者に選択させるためのラジオボタン５３ａと、印刷の色のうち「モノクロ」を利用者に選択させるためのラジオボタン５３ｂと、「エコプリント」を実行しないことを利用者に選択させるためのラジオボタン５４ａと、「レベル１エコプリント」を実行することを利用者に選択させるためのラジオボタン５４ｂと、「レベル２エコプリント」を実行することを利用者に選択させるためのラジオボタン５４ｃと、「レベル３エコプリント」を実行することを利用者に選択させるためのラジオボタン５４ｄと、「レベル４エコプリント」を実行することを利用者に選択させるためのラジオボタン５４ｅと、「レベル５エコプリント」を実行することを利用者に選択させるためのラジオボタン５４ｆと、複数枚の印刷物を綴じないことを利用者に選択させるためのラジオボタン５５ａと、複数枚の印刷物を綴じることを利用者に選択させるためのラジオボタン５５ｂと、印刷物に穴を開けないことを利用者に選択させるためのラジオボタン５６ａと、印刷物に穴を開けることを利用者に選択させるためのラジオボタン５６ｂと、印刷ジョブを送信するための印刷ボタン５７と、印刷の指示を中止するためのキャンセルボタン５８とが含まれている。
【００７４】
ドロップダウンリスト５１は、印刷システム１０の任意のＭＦＰの他に、管理サーバー２０が選択されることができるようになっている。ラジオボタン５３ａおよびラジオボタン５３ｂは、常に何れか一方のみが選択された状態になるようになっている。ラジオボタン５４ａ〜５４ｆは、常に何れか１つのみが選択された状態になるようになっている。ラジオボタン５５ａおよびラジオボタン５５ｂは、常に何れか一方のみが選択された状態になるようになっている。ラジオボタン５６ａおよびラジオボタン５６ｂは、常に何れか一方のみが選択された状態になるようになっている。
【００７５】
図７に示すように、ホスト装置４０の制御部４５のジョブ送信手段４５ｂは、Ｓ１０４の処理が終了すると、印刷ボタン５７が押されたか否かを判断する（Ｓ１０５）。
【００７６】
ジョブ送信手段４５ｂは、印刷ボタン５７が押されていないとＳ１０５において判断すると、キャンセルボタン５８が押されたか否かを判断する（Ｓ１０６）。
【００７７】
ジョブ送信手段４５ｂは、キャンセルボタン５８が押されていないとＳ１０６において判断すると、再びＳ１０５の処理を実行する。
【００７８】
ジョブ送信手段４５ｂは、印刷ボタン５７が押されたとＳ１０５において判断すると、画像データと、ドロップダウンリスト５２によって指定されている用紙サイズに対応する用紙サイズ情報、ラジオボタン５３ａおよびラジオボタン５３ｂによって指定されているモノクロまたはカラーのカラー情報などの印刷属性とを含んでいる印刷ジョブを、ドロップダウンリスト５１において指定されている送信先にネットワーク通信部４３を介して送信する（Ｓ１０７）。
【００７９】
ここで、ドロップダウンリスト５１において指定されている送信先が管理サーバー２０である場合、ジョブ送信手段４５ｂは、管理サーバー２０に印刷ジョブを送信する。管理サーバー２０の制御部２５のジョブ管理手段２５ａは、ホスト装置４０から送信されてきた印刷ジョブをネットワーク通信部２３を介して受信すると、受信した印刷ジョブを、ホスト装置４０にログイン中の利用者の印刷ジョブ２４ｃとして記憶部２４に記憶させる。
【００８０】
また、ドロップダウンリスト５１において指定されている送信先がＭＦＰである場合、ジョブ送信手段４５ｂは、ドロップダウンリスト５１において指定されているＭＦＰに印刷ジョブを送信する。ＭＦＰの制御部のジョブ印刷手段は、ホスト装置４０から送信されてきた印刷ジョブをＭＦＰのネットワーク通信部を介して受信すると、受信した印刷ジョブをプリンターによって印刷する。
【００８１】
ジョブ送信手段４５ｂは、キャンセルボタン５８が押されたとＳ１０６において判断するか、Ｓ１０７の処理を終了すると、表示部４２による印刷指示画面５０の表示を終了して（Ｓ１０８）、図７に示す処理を終了する。
【００８２】
次に、ホスト装置４０から管理サーバー２０に送信された印刷ジョブがＭＦＰにおいて実行される場合、すなわち、プルプリントが実行される場合の印刷システム１０の動作について説明する。
【００８３】
図９は、プルプリントが実行される場合の印刷システム１０の動作のシーケンス図である。
【００８４】
図９に示すように、ＭＦＰ３０の制御部３８のログイン依頼手段３８ａは、操作部３１を介した利用者からの指示に応じて、現在の利用者の利用者ＩＤおよびパスワードをネットワーク通信部３６を介して管理サーバー２０に送信することによって、現在の利用者のログインの依頼をする（Ｓ１２１）。
【００８５】
管理サーバー２０の制御部２５の認証実行手段２５ｂは、ＭＦＰ３０からの利用者のログインの依頼をネットワーク通信部２３を介して受信すると、この利用者の認証を実行する（Ｓ１２２）。ここで、認証実行手段２５ｂは、ＭＦＰ３０から受信した利用者ＩＤおよびパスワードの組み合わせが認証用情報２４ｂに記憶されている場合、認証が成功したと判断する。一方、認証実行手段２５ｂは、ＭＦＰ３０から受信した利用者ＩＤおよびパスワードの組み合わせが認証用情報２４ｂに記憶されていない場合、認証が失敗したと判断する。認証実行手段２５ｂは、認証が成功したと判断すると、ログインが成功したと判断する。一方、認証実行手段２５ｂは、認証が失敗したと判断すると、ログインが失敗したと判断する。
【００８６】
そして、認証実行手段２５ｂは、ログインの結果をネットワーク通信部２３を介してＭＦＰ３０に送信する（Ｓ１２３）。
【００８７】
管理サーバー２０の制御部２５の装置能力取得手段２５ｅは、Ｓ１２２における認証が成功した場合、ＭＦＰ３０の印刷能力をネットワーク通信部２３を介してＭＦＰ３０に要求する（Ｓ１２４）。
【００８８】
ＭＦＰ３０の制御部３８は、管理サーバー２０からの印刷能力の要求をネットワーク通信部３６を介して受信すると、ＭＦＰ３０の印刷能力をネットワーク通信部３６を介して管理サーバー２０に送信する（Ｓ１２５）。
【００８９】
管理サーバー２０の制御部２５の装置能力取得手段２５ｅは、ＭＦＰ３０の印刷能力をネットワーク通信部２３を介してＭＦＰ３０から受信すると、この印刷能力に基づいた印刷能力情報２４ｅを記憶部２４に記憶させる（Ｓ１２６）。
【００９０】
利用者は、管理サーバー２０に記憶されている印刷ジョブ２４ｃのジョブリストの表示を、ＭＦＰ３０の操作部３１を介してＭＦＰ３０に指示することができる。
【００９１】
ＭＦＰ３０の制御部３８のリスト取得手段３８ｂは、ジョブリストの表示が利用者から指示されると、ＭＦＰ３０にログイン中の利用者に対して管理サーバー２０に記憶されている印刷ジョブ２４ｃのジョブリストをネットワーク通信部３６を介して管理サーバー２０に要求する（Ｓ１２７）。
【００９２】
管理サーバー２０の制御部２５の印刷可否判断手段２５ｆは、ジョブリストの要求をネットワーク通信部２３を介してＭＦＰ３０から受信すると、ＭＦＰ３０にログイン中の利用者に対して記憶部２４に記憶されている印刷ジョブ２４ｃに含まれる印刷属性と、Ｓ１２６において記憶部２４上の印刷能力情報２４ｅに記憶されたＭＦＰ３０の印刷能力とを比較して、ＭＦＰ３０によるこの印刷ジョブ２４ｃの印刷が可能であるか否かを判断する（Ｓ１２８）。すなわち、印刷可否判断手段２５ｆは、ＭＦＰ３０にログイン中の利用者に対して記憶部２４に記憶されている印刷ジョブ２４ｃのうち印刷可能ジョブを判断する。
【００９３】
例えば、ＭＦＰ３０にログイン中の利用者に対して記憶部２４に記憶されている印刷ジョブ２４ｃが図１０に示す４つの印刷ジョブであって、ＭＦＰ３０に対する印刷能力情報２４ｅが図４に示す情報である場合、印刷可否判断手段２５ｆは、図１１に示すジョブリスト６１を作成する。ここで、印刷ジョブの識別情報であるジョブＩＤが「Ｊｏｂ００１」である印刷ジョブは、「Ａ３サイズ」、「カラー」、「レベル１エコプリント」、「ステープル無し」、「パンチ有り」の印刷属性がＭＦＰ３０の印刷能力によって実行されることができるので、ＭＦＰ３０の印刷能力によって実行されることができる印刷属性のみを含んでいる印刷可能ジョブ（以下「完全印刷可能ジョブ」と言う。）である。ジョブＩＤが「Ｊｏｂ００２」である印刷ジョブは、「Ａ３サイズ」、「モノクロ」、「レベル３エコプリント」、「ステープル有り」、「パンチ有り」の印刷属性がＭＦＰ３０の印刷能力によって実行されることができるので、完全印刷可能ジョブである。ジョブＩＤが「Ｊｏｂ００３」である印刷ジョブは、「Ａ４サイズ」、「カラー」、「ステープル有り」、「パンチ無し」の印刷属性がＭＦＰ３０の印刷能力によって実行されることができるとともに、ＭＦＰ３０の印刷能力によって実行されることができない「レベル５エコプリント」の印刷属性に対して記憶部２４上の代替属性テーブル２４ｄに記憶されている代替属性である「レベル３エコプリント」がＭＦＰ３０の印刷能力によって実行されることができるので、ＭＦＰ３０の印刷能力によって実行されることができない印刷属性を含んでいる印刷可能ジョブ（以下「制限付印刷可能ジョブ」と言う。）である。ジョブＩＤが「Ｊｏｂ００３」である印刷ジョブは、ＭＦＰ３０によって印刷される場合、ＭＦＰ３０の「レベル３エコプリント機能」によって画像データが加工された後、印刷される。ジョブＩＤが「Ｊｏｂ００４」である印刷ジョブは、「Ａ４サイズ」、「モノクロ」、「エコプリント無し」、「ステープル無し」、「パンチ無し」の印刷属性がＭＦＰ３０の印刷能力によって実行されることができるので、完全印刷可能ジョブである。したがって、図１１において、ジョブＩＤが「Ｊｏｂ００１」、「Ｊｏｂ００２」、「Ｊｏｂ００４」である印刷ジョブは、完全印刷可能ジョブであり、ジョブＩＤが「Ｊｏｂ００３」である印刷ジョブは、制限付印刷可能ジョブである。
【００９４】
また、ＭＦＰ３０にログイン中の利用者に対して記憶部２４に記憶されている印刷ジョブ２４ｃが図１０に示す４つの印刷ジョブであって、ＭＦＰ３０に対する印刷能力情報２４ｅが図１２に示す情報である場合、印刷可否判断手段２５ｆは、図１３に示すジョブリスト６２を作成する。ここで、ジョブＩＤが「Ｊｏｂ００１」である印刷ジョブは、「レベル１エコプリント」、「ステープル無し」、「パンチ有り」の印刷属性がＭＦＰ３０の印刷能力によって実行されることができるとともに、ＭＦＰ３０の印刷能力によって実行されることができない「Ａ３サイズ」、「カラー」の印刷属性に対して記憶部２４上の代替属性テーブル２４ｄにそれぞれ記憶されている代替属性である「Ａ４サイズ」、「モノクロ」がＭＦＰ３０の印刷能力によって実行されることができるので、制限付印刷可能ジョブである。ジョブＩＤが「Ｊｏｂ００１」である印刷ジョブは、ＭＦＰ３０によって印刷される場合、ＭＦＰ３０の「Ａ４サイズ印刷機能」および「モノクロ印刷機能」によって画像データがＡ４サイズのモノクロ画像データとして再現された後、印刷される。ジョブＩＤが「Ｊ０ｂ００２」である印刷ジョブは、「Ａ３サイズ」、「レベル３エコプリント」、「ステープル有り」の印刷属性がＭＦＰ３０の印刷能力によって実行されることができず、ＭＦＰ３０の印刷能力によって実行されることができない「レベル３エコプリント」の印刷属性に対して記憶部２４上の代替属性テーブル２４ｄに代替属性が記憶されていないので、ジョブリスト６２に含まれていない。ジョブＩＤが「Ｊｏｂ００３」である印刷ジョブは、「カラー」、「レベル５エコプリント」、「ステープル有り」の印刷属性がＭＦＰ３０の印刷能力によって実行されることができず、ＭＦＰ３０の印刷能力によって実行されることができない「レベル５エコプリント」の印刷属性に対して記憶部２４上の代替属性テーブル２４ｄに記憶されている「レベル３エコプリント」がＭＦＰ３０の印刷能力によって実行されることができないので、ジョブリスト６２に含まれていない。ジョブＩＤが「Ｊｏｂ００４」である印刷ジョブは、「Ａ４サイズ」、「モノクロ」、「エコプリント無し」、「ステープル無し」、「パンチ無し」の印刷属性がＭＦＰ３０の印刷能力によって実行されることができるので、完全印刷可能ジョブである。したがって、図１３において、ジョブＩＤが「Ｊｏｂ００４」である印刷ジョブは、完全印刷可能ジョブであり、ジョブＩＤが「Ｊｏｂ００１」である印刷ジョブは、制限付印刷可能ジョブであり、ジョブＩＤが「Ｊｏｂ００２」、「Ｊｏｂ００３」である印刷ジョブは、ジョブリスト６２に含まれていない。
【００９５】
複数のＭＦＰの印刷能力が図１１および図１３に示すように互いに異なる場合には、記憶部２４に記憶されている印刷ジョブ２４ｃが同一の印刷ジョブであるときであっても、これらのＭＦＰに管理サーバー２０から送信されるジョブリストがそれぞれ異なる可能性がある。
【００９６】
図９に示すように、管理サーバー２０の制御部２５のリスト送信手段２５ｃは、Ｓ１２８において作成されたジョブリストをネットワーク通信部２３を介してＭＦＰ３０に送信する（Ｓ１２９）。すなわち、リスト送信手段２５ｃは、記憶部２４に記憶されている印刷ジョブ２４ｃのうち印刷可否判断手段２５ｆによって判断された印刷可能ジョブのジョブリストを送信する。
【００９７】
ＭＦＰ３０の制御部３８のリスト取得手段３８ｂが、管理サーバー２０から送信されてきたジョブリストをネットワーク通信部３６を介して受信すると、ＭＦＰ３０の制御部３８のリスト表示手段３８ｃは、このジョブリストを表示部３２に表示させる（Ｓ１３０）。リスト表示手段３８ｃは、ジョブリストを表示する場合、図１１または図１３に示すように、完全印刷可能ジョブと、制限付印刷可能ジョブとを区別して表示する。更に、リスト表示手段３８ｃは、制限付印刷可能ジョブを表示する場合、図１１または図１３に示すように、この制限付印刷可能ジョブに含まれている印刷属性のうちＭＦＰ３０の印刷能力によって実行されることができない印刷属性と、この印刷属性に対する代替属性とを表示する。
【００９８】
利用者は、表示部３２に表示されているジョブリスト中の何れかの印刷ジョブの印刷を、ＭＦＰ３０の操作部３１を介してＭＦＰ３０に指示することができる。なお、表示部３２に表示されているジョブリスト中の全ての印刷ジョブが印刷可能ジョブであるので、利用者は、ＭＦＰ３０による印刷ができない印刷ジョブの印刷を誤ってＭＦＰ３０に指示することがない。
【００９９】
ＭＦＰ３０の制御部３８のジョブ取得手段３８ｄは、印刷ジョブの印刷が利用者から指示されると、この印刷ジョブをネットワーク通信部３６を介して管理サーバー２０に要求する（Ｓ１３１）。
【０１００】
管理サーバー２０の制御部２５のジョブ送信手段２５ｄは、Ｓ１３１において要求された印刷ジョブを記憶部２４上の印刷ジョブ２４ｃから取得して、取得した印刷ジョブをネットワーク通信部２３を介してＭＦＰ３０に送信する（Ｓ１３２）。
【０１０１】
ＭＦＰ３０の制御部３８のジョブ取得手段３８ｄが、管理サーバー２０から送信されてきた印刷ジョブをネットワーク通信部３６を介して受信すると、ＭＦＰ３０の制御部３８のジョブ印刷手段３８ｅは、図１４に示すように、この印刷ジョブをプリンター３３に印刷させる（Ｓ１３３）。
【０１０２】
図１４は、管理サーバー２０から取得した印刷ジョブを印刷する場合のＭＦＰ３０の動作のフローチャートである。
【０１０３】
図１４に示すように、ＭＦＰ３０の制御部３８のジョブ印刷手段３８ｅは、管理サーバー２０から取得した印刷ジョブが完全印刷可能ジョブであるか否かを判断する（Ｓ１５１）。
【０１０４】
ジョブ印刷手段３８ｅは、管理サーバー２０から取得した印刷ジョブが完全印刷可能ジョブであるとＳ１５１において判断すると、この印刷ジョブをプリンター３３に印刷させて（Ｓ１５２）、図１４に示す動作を終了する。
【０１０５】
制御部３８の代替属性変更受付手段３８ｆは、管理サーバー２０から取得した印刷ジョブが完全印刷可能ジョブではないとＳ１５１において判断すると、図１５に示す代替属性変更受付画面７０を表示部３２に表示させる（Ｓ１５３）。
【０１０６】
図１５は、表示部３２に表示される代替属性変更受付画面７０の一例を示す図である。
【０１０７】
図１５に示すように、代替属性変更受付画面７０には、「レベル３エコプリント」を実行することを利用者に選択させるためのラジオボタン７１ａと、「レベル２エコプリント」を実行することを利用者に選択させるためのラジオボタン７１ｂと、「レベル１エコプリント」を実行することを利用者に選択させるためのラジオボタン７１ｃと、「エコプリント」を実行しないことを利用者に選択させるためのラジオボタン７１ｄと、印刷ジョブの印刷を実行するための印刷ボタン７２とが含まれている。
【０１０８】
ここで、「レベル３エコプリント」は、管理サーバー２０によって代替属性として選定された印刷属性である。「レベル２エコプリント」、「レベル１エコプリント」、「エコプリント無し」は、変更する候補の代替属性である。ラジオボタン７１ａ〜７１ｄは、常に何れか１つのみが選択された状態になるようになっている。
【０１０９】
なお、代替属性変更受付画面７０のうち印刷属性に関する部分は、管理サーバー２０から受信したジョブリストと、ＭＦＰ３０の印刷能力とに応じて都度作成される。
【０１１０】
図１４に示すように、代替属性変更受付手段３８ｆは、印刷ボタン７２が押されたと判断するまで、印刷ボタン７２が押されたか否かを判断する（Ｓ１５４）。
【０１１１】
代替属性変更受付手段３８ｆは、印刷ボタン７２が押されたとＳ１５４において判断すると、代替属性の変更が受け付けられたか否か、すなわち、ラジオボタン７１ｂ〜７１ｄの何れかが選択されているか否かを判断する（Ｓ１５５）。
【０１１２】
制御部３８のジョブ印刷手段３８ｅは、代替属性の変更が受け付けられていない、すなわち、ラジオボタン７１ａが選択されているとＳ１５５において判断すると、管理サーバー２０によって代替属性として選定された印刷属性である「レベル３エコプリント」で印刷ジョブをプリンター３３に印刷させて（Ｓ１５６）、図１４に示す動作を終了する。
【０１１３】
制御部３８のジョブ印刷手段３８ｅは、代替属性の変更が受け付けられた、すなわち、ラジオボタン７１ｂ〜７１ｄの何れかが選択されているとＳ１５５において判断すると、ラジオボタン７１ｂ〜７１ｄのうち選択されているラジオボタンに対応付けられている代替属性、すなわち、変更後の代替属性で印刷ジョブをプリンター３３に印刷させて（Ｓ１５７）、図１４に示す動作を終了する。
【０１１４】
以上に説明したように、印刷システム１０は、ＭＦＰに表示された印刷可能ジョブのジョブリスト（Ｓ１３０）に基づいてＭＦＰが管理サーバー２０から印刷可能ジョブを取得する（Ｓ１３１およびＳ１３２）ので、プルプリントにおいてＭＦＰによって印刷ジョブが印刷されないことを防止することができる。
【０１１５】
また、印刷システム１０は、ＭＦＰに表示されたジョブリストに基づいてＭＦＰが管理サーバー２０から完全印刷可能ジョブを取得することによって、利用者が意図した印刷結果と同一の印刷結果をプルプリントにおいて生じることができる（Ｓ１５２）。また、印刷システム１０は、ＭＦＰに表示されたジョブリストに基づいてＭＦＰが管理サーバー２０から制限付印刷可能ジョブを取得することによって、利用者が意図した印刷結果の代替の印刷結果をプルプリントにおいて生じることができる（Ｓ１５６、Ｓ１５７）。
【０１１６】
また、印刷システム１０は、制限付印刷可能ジョブに含まれている印刷属性のうちＭＦＰの印刷能力によって実行されることができない印刷属性と、この印刷属性に対する代替属性とをＭＦＰに表示する（図１１、図１３）ので、プルプリントにおいて制限付印刷可能ジョブが印刷される場合に、制限付印刷可能ジョブのうち何れの印刷属性が何れの代替属性に変更されるかを利用者に認識させることができる。
【０１１７】
また、印刷システム１０は、制限付印刷可能ジョブが印刷される場合の代替属性の変更を受け付け（Ｓ１５５でＹＥＳ）、受け付けた変更後の代替属性で制限付印刷可能ジョブを印刷する（Ｓ１５７）ので、利用者が意図した代替の印刷結果をプルプリントにおいて生じることができる。
【０１１８】
また、印刷システム１０は、利用者に応じた印刷可能ジョブのジョブリストをＭＦＰに表示させる（Ｓ１２１〜Ｓ１２３およびＳ１２７〜Ｓ１３０）ので、ＭＦＰだけでなく、利用者にも応じたプルプリントを実行することができる。
【０１１９】
なお、記憶部２４上の代替属性テーブル２４ｄは、本実施の形態においてＭＦＰの種類によらず固定の代替属性を記憶しているが、ＭＦＰの種類に応じて代替属性を記憶していても良い。代替属性テーブル２４ｄがＭＦＰの種類に応じて代替属性を記憶している場合、印刷システム１０は、プルプリントにおいてＭＦＰが制限付印刷可能ジョブを印刷するときに、ＭＦＰの種類に応じた代替属性で制限付印刷可能ジョブを印刷するので、ＭＦＰに応じた更に適切なプルプリントを実行することができる。
【０１２０】
また、代替属性テーブル２４ｄは、例えば印刷システム１０の管理者によって編集されることができる。ここで、代替属性テーブル２４ｄは、制限付印刷可能ジョブの判断の基礎となる情報である。したがって、管理者は、代替属性テーブル２４ｄを変更することによって、制限付印刷可能ジョブを変更することができる。
【０１２１】
印刷システム１０は、本実施の形態において本発明の画像形成装置としてＭＦＰを備えているが、プリンター専用機など、ＭＦＰ以外の画像形成装置を備えていても良い。
【符号の説明】
【０１２２】
１０  印刷システム
２０  管理サーバー（ジョブ記憶サーバー）
２４  記憶部（ジョブ記憶部、代替属性記憶部）
２４ｃ  印刷ジョブ
２５ｂ  認証実行手段
２５ｃ  リスト送信手段
２５ｄ  ジョブ送信手段
２５ｅ  装置能力取得手段
２５ｆ  印刷可否判断手段
３０  ＭＦＰ（画像形成装置）
３８ｂ  リスト取得手段
３８ｃ  リスト表示手段
３８ｄ  ジョブ取得手段
３８ｅ  ジョブ印刷手段
３８ｆ  代替属性変更受付手段
６１、６２  ジョブリスト（印刷ジョブのリスト）
【図１】
2014026559.tif 000003
【図２】
2014026559.tif 000004
【図３】
2014026559.tif 000005
【図４】
2014026559.tif 000006
【図５】
2014026559.tif 000007
【図６】
2014026559.tif 000008
【図７】
2014026559.tif 000009
【図８】
2014026559.tif 000010
【図９】
2014026559.tif 000011
【図１０】
2014026559.tif 000012
【図１１】
2014026559.tif 000013
【図１２】
2014026559.tif 000014
【図１３】
2014026559.tif 000015
【図１４】
2014026559.tif 000016
【図１５】
2014026559.tif 000017